(57)【要約】      （修正有）【課題】加工品の固定が確実に出来るボール盤に用いられるバイスを提供する。【解決手段】バイス４の爪６、７の上面は、高さの異なる複数段に形成し、中央部１４を最も高くする。また、バイスの爪の相対向する面には、下端に行くに従って、距離が離れる傾斜面１２，１３を、爪の上部と下部の少なくとも一方に形成し、バイスの爪と爪との間の底板１５を交換可能としたことにより、加工品の固定が確実に出来るボール盤としたものである。【選択図】図１
0003173252.tif 000002
【実用新案登録請求の範囲】
【請求項１】
バイスの爪の上面は、高さの異なる複数段に形成されており、中央部が最も高くなっていることを特徴とするバイス。
【請求項２】
バイスの爪の相対向する面には、下端に行くに従って、距離が離れる傾斜面を、爪の上部と下部の少なくとも一方に形成したことを特徴とする請求項１記載のバイス。
【請求項３】
バイスの爪と爪との間の底板を交換可能としたことを特徴とする請求項１記載のバイス。
【考案の詳細な説明】
【技術分野】
【０００１】
本考案は、ボール盤に用いられるバイスに関するものである。
【背景技術】
【０００２】
従来のボール盤に用いられるバイスは、全長にわたって同一高さになっており、加工品によっては、適切に固定できないという問題点があった。
【０００３】
これには、次のような欠点があった。
加工品の固定は、工作物用バイスが最適ではあるものの、挟んだ加工品のテーブル上の高さが上がることとなり、ドリルの装着の際改めてテーブルを下げる必要にせまられることが多く、そのための繰り返し作業が増え面倒であった。    
【先行技術文献】
【特許文献】
【０００４】
【特許文献１】実用新案登録第３１６６９７７号公報
【考案の概要】
【考案が解決しようとする課題】
【０００５】
本考案は、上記問題点に鑑みてなされたものであり、加工品の固定が確実に出来るボール盤に用いられるバイスを提供することにある。
【課題を解決するための手段】
【０００６】
上記課題を解決するために、本考案のバイスは、バイスの爪の上面は、高さの異なる複数段に形成されており、中央部が最も高くなっていることを特徴とする。
【考案の効果】
【０００７】
本考案のバイスは、バイスの爪の上面は、高さの異なる複数段に形成されており、中央部が最も高くなっていることを特徴とするものであるから、下記の効果を奏するものであるこれにより、ボール盤による穴明け作業は、
（イ）加工品の形状、大小、にかかわらず、すぐにテーブル上のバイスに取り付けが可能となり、穴あけ作業への開始時間の短縮が図れる。
（ロ）従って、テーブルの高さ調整も、その時点で適切な高さに設定でき、一度で完了する。
（ハ）特に、加工品が小さな形状の場合、極めて簡単、かつ、迅速な固定が可能となり、多品種、少量生産にも対応力が向上し、飛躍的な効率化が図れる。
【０００８】
バイスの爪の相対向する面には、下端に行くに従って、距離が離れる傾斜面を、爪の上部と下部の少なくとも一方に形成したものは、形状が極めて小さい加工品や薄い加工品を加工することができるという効果がある。
【図面の簡単な説明】
【０００９】
【図１】図１は、本考案に係るボール盤の外観斜視図である。
【図２】図２は、本考案に係るボール盤に使用するバイスの要部の外観斜視図である。
【図３】図３は、同上のバイスの使用状態を示す断面図である。
【図４】図４は、同上のバイスの使用状態を示す断面図である。
【図５】図５は、本考案に係るボール盤のテーブルの一部を切欠した外観斜視図である。
【図６】図６は、本考案に係るボール盤のテーブルの一部を分解した外観斜視図である。
【考案を実施するための形態】
【００１０】
以下、図面を参照しながら本考案の実施の形態について説明する。ボール盤１の既存のテーブル２の上面に、二層のスライド機構３および、加工品を挟むバイス４を備えたスライドテーブル５を装着する。加工品Wは、バイス４の爪６と爪７との間にハンドル８によって挟まれて固定される。
【００１１】
二層のスライド機構３は、穴あけ位置の設定のために設けられた二層のスライドローラー９、１０を介したスライドテーブル５の前後、左右の移動によって穴あけ位置を決めることができるようになっている。
スライドテーブル５の前後方向(Ｙ軸)の位置決めはハンドル８、左右(Ｘ軸)方向の位置決めは、取っ手１１によって行なえるが、左利き手の場合には、取っ手１１は反対側への取り付けを可能としている。
【００１２】
図２に示すように、バイス４は、加工品の形状、大きさにより、対応できるものとなっている。バイス４の爪６と爪７の対向する面には、下端に行くに従って、距離が離れる傾斜面を、爪６，７の上部と下部の両方に形成されている。加工品の形状が小さいものや、薄いものの場合、バイス４の爪６、７の形状の工夫により、確実な固定が出来るため、浮き上がりを防止し、回り止めも果たしている。爪６，７の上部に形成された第１の傾斜面１２は、高さが低く角度がきつい傾斜面と、水平部１３とで構成されており、爪６，７の下部に形成された第２の傾斜面１３は、高さが高く角度が緩い傾斜面で構成されており、第１の傾斜面１２には高さが低い加工品、第２の傾斜面１３には高さが高い加工品等、加工品に応じて適宜選択できるようになっている。加工品が小さいものや、高さが低いものの場合、図３に示すように、爪が固定（挟んで）して、簡単、かつ、確実に行なえる。
【００１３】
バイス４の爪６，７の上面は、高さの異なる複数段に形成されており、中央部１４が最も高くなっている。左右の一方が最も低い三段に高さを異ならせており、加工品の高さに応じて加工位置を選択できるようになっているが、段数を必要により、増加させても構わないものである。
【００１４】
また、従来のバイスは、加工品の支えとなる、底の部分が無く、加工品は落下してしまうおそれのあるものであったが、バイス４の爪６と爪７との間の底板１５を交換可能としたことで、この問題点の解消もできるものである。
【００１５】
テーブル５は、基板１６と、前記基板１６に上載する第１のスライドローラー９と、前記第１のスライドローラー９に、上載する第２の基板１７と、前記第２の基板１７に上載する第２のスライドローラー１０と、前記第２のスライドローラー１０に上載する第３の基板１８と、前記第３の基板１８にバイス４を取り付けた構造を有し、第１のスライドローラー９が、前後方向に、第２のスライドローラー１０が左右方向にスライド出来る機能を有するものである。
【００１６】
このようなボール盤のテーブルに前述したバイスを取り付けると、穴あけ作業時の、加工品の固定による回り止めと、加工品の形状に応じた穴あけ位置の設定が、容易に対応できるスライド機能を備えたテーブルに、バイスの底板の交換可能なバイスを搭載した、スライドテーブルを取り付け、作業の安全確保と、効率化を図るものである。
【産業上の利用可能性】
【００１７】
製造業における機械加工の中でも、ボール盤による穴あけは、基本的かつ不可欠の作業であるが、簡単な作業であり誰でも携われることから、巻き込まれ事故も多発している。しかも。ひとたび事故となれば、手、指  腕など、負傷のみならず、損壊  欠損と、重大な労働災害となり、社会問題でもある。従って、安全性の向上が望まれており、本考案の冶工具がその一助となる。
【符号の説明】
【００１８】
１    ボール盤
２    テーブル
３    二層のスライド機構
４    バイス
５    テーブル
６    バイスの爪
７    バイスの爪
１４    バイス中央部
【図１】
0003173252.tif 000003
【図２】
0003173252.tif 000004
【図３】
0003173252.tif 000005
【図４】
0003173252.tif 000006
【図５】
0003173252.tif 000007
【図６】
0003173252.tif 000008